(57)【要約】【課題】  原稿置き忘れが生じた場合、その旨を確実にユーザに伝え得る画像形成装置を提供する。【解決手段】  コピー部数が１枚か複数枚か否か判定し（ＳＴ１、ＳＴ２）、コピー部数が１枚の場合には、プリント完了後に警告音を鳴らすに設定し（ＳＴ４）、複数枚の場合には、読み取り完了後に警告音を鳴らすに設定しておき（ＳＴ３）、コピー読み取りが完了すると、読み取り完了後に、警告音を鳴らす設定があれば（ＳＴ５、ＳＴ６）、原稿置き忘れの警告音を発する（ＳＴ７）。また、コピーが完了すると、プリント完了後に警告音を鳴らす設定があれば（ＳＴ８、ＳＴ９）、ここで原稿置き忘れの警告音を発する（ＳＴ１０）。【選択図】      図３
2005099223.tif 000002
【特許請求の範囲】
【請求項１】
原稿載置部に載置された原稿を読み取る画像読取部と、読み取った原稿をプリントするプリント手段と、コピー条件によって、コピーのプリント終了時に原稿忘れ報知を出力するか、原稿の読み取り完了時点で原稿忘れ報知を出力するかを判断する手段と、前記判断された時点に原稿忘れを報知する報知手段と、を備えたことを特徴とする画像形成装置。
【請求項２】
前記コピー条件は、部数指定１枚のコピーと、部数指定が所定部数以上のコピーの場合であり、部数指定１枚の場合にはコピー完了後に原稿忘れを報知し、所定部数以上の場合に、読み取り終了後に原稿忘れを報知することを特徴とする請求項１記載の画像形成装置。
【発明の詳細な説明】
【技術分野】
【０００１】
この発明は、複写機、ファクシミリ装置、ファクシミリ機能・複写機能等の多機能を有する複合機等の画像形成装置に関する。
【背景技術】
【０００２】
複写機等の画像形成装置には、ＦＢＳ（フラットベットスキャナ）に原稿をセットして原稿を読み取り、コピーする時に、コピー完了後ある一定期間経過してもＦＢＳカバーが開けられない場合は、原稿を置き忘れていると判断し、警告アラームを鳴らす技術がある（例えば、特許文献１参照）。
【特許文献１】実開平５−９０６６号公報
【発明の開示】
【発明が解決しようとする課題】
【０００３】
上記従来技術のように、コピー完了後に原稿置き忘れのアラームを鳴らす場合に、コピーが１枚の場合には、ユーザはコピー完了まで機械の前で待っているので問題ない。しかし、多数枚をコピーする場合には、ユーザは通常、部数を指定し、スタートキーを押し、コピープリントが開始されるのを確認後、一旦機器本体から離れるケースが多いと考えられ、しばらく時間が経過した後、機器本体に戻り、プリント完了したものを持ち去るケースが多い。そのため、コピー完了で原稿置き忘れを報知しても、ユーザに伝わらないこともあるという問題がある。  この発明は上記問題点に着目してなされたものであって、原稿置き忘れが生じた場合、その旨を確実にユーザに伝え得る画像形成装置を提供することを目的としている。
【課題を解決するための手段】
【０００４】
この発明の画像形成装置は、原稿載置部に載置された原稿を読み取る画像読取部と、読み取った原稿をプリントするプリント手段と、コピー条件によって、コピーのプリント終了時に原稿忘れ報知を出力するか、原稿の読み取り完了時点で原稿忘れ報知を出力するかを判断する手段と、前記判断された時点に原稿忘れを報知する報知手段と、を備えている。
【０００５】
この発明において、コピー条件は、例えば部数指定１枚のコピーと、部数指定が所定部数以上のコピーの場合であり、部数指定１枚の場合にはコピー完了後に部数指定が所定部数以上の場合には読み取り終了後に、原稿忘れを報知することとすれば良い。
【０００６】
この発明の画像形成装置では、例えばコピー部数１枚の場合は、コピープリント完了時で原稿忘れ報知が出され、またコピー部数が所定枚数以上の場合は、読み取り完了時に原稿忘れ報知が出力されるので、それぞれユーザが機器本体の傍に居ることが多い時に、警告が出されることになり、ユーザに警告を確実に伝えることができる。
【発明の効果】
【０００７】
この発明によれば、コピー条件に応じ、読み取り原稿をプリント完了後に原稿置き忘れ報知を行うか、原稿の読み取り完了後に原稿置き忘れ報知を行うかを判断し、報知タイミングをコピー条件に応じて変えるようにしているので、コピー条件に応じ、ユーザが機器本体の側にいる確率の高い時に、警告音を出力でき、確実にユーザに減光置き忘れを伝えることができる。
【発明を実施するための最良の形態】
【０００８】
以下、実施の形態により、この発明を更に詳細に説明する。
【０００９】
その実施形態に係るカラー画像通信装置の構成の一例を示すブロック図を図１に示す。このカラー画像通信装置は、コピー装置とファクシミリ装置を兼用する複合機として構成したものである。この複合機は、ＩＴＵ−Ｔ勧告で規定されたファクシミリ通信手順に従って、カラー画像をファクシミリ通信する機能を備えている。
【００１０】
図１において、主制御部としてのＣＰＵ（中央処理装置）１は、当該装置を構成する各部を統括制御する機能を有する。
【００１１】
このＣＰＵ１には、ＮＣＵ（網制御回路：Network Control Unit）２、ＭＯＤＥＭ３、ＲＯＭ４、ＲＡＭ５、画像メモリ６、表示部７、操作部８、画像読み取り部９、画像記録部１０、ＣＯＤＥＣ（符号化・復号器：Coder and Decoder ）１１、ＬＡＮ  Ｉ／Ｆ１２、音声出力部１６がバス１３を介して接続されている。
【００１２】
ＮＣＵ２は、ＣＰＵ１により制御されて、通信回線である電話回線網（ＰＳＴＮ）１４との接続を制御する。また、ＮＣＵ２は、通信相手の電話番号（ＦＡＸ番号を含む）に応じたダイヤルパルスを送出する機能及び着信を検出する機能を有する。ＭＯＤＥＭ３は、ＩＴＵ（国際電気通信連合）−Ｔ勧告Ｔ．３０、Ｔ．４に従ったファクシミリ伝送制御手順（ファクシミリ通信手順）に基づいて、Ｖ．１７、Ｖ．２７ｔｅｒ、Ｖ．２９等に従った送信データの変調及び受信データの復調を行う。また、ＭＯＤＥＭ３は、Ｖ．８、Ｖ．３４を用いたＶ．３４ＦＡＸにも適用可能である。具体的には、ＭＯＤＥＭ３は、ＮＣＵ２を介して電話回線網１４に送出するために、デジタル信号である送信データをアナログの音声信号に変調する機能を有する。また、ＭＯＤＥＭ３は、電話回線網１４からＮＣＵ２を介して受信したアナログの音声信号をデジタル信号に復調する機能を有する。
【００１３】
ＲＯＭ４は、この装置全体の動作を制御するためのプログラム等を記憶する。ＲＡＭ５は、ＣＰＵ１による制御に必要なデータ及び制御動作時に一時記憶が必要なデータ等を記憶する。このＲＡＭ５には、警告音テーブル５ａを備えている。この警告音テーブル５ａには、図２に示すように、警告音を鳴らすタイミングを読み取り完了後、プリント完了後のいずれかに設定できる。画像メモリ６は、画像読み取り部９で読み取った画像データを圧縮状態で記憶する。さらに、画像メモリ６は、パーソナルコンピュータ等の外部装置からネットワーク（ＬＡＮ）を介して受信した画像データ又は記録メディアから読み込んだ画像データを圧縮状態（ＪＰＥＧ等）で記憶する。
【００１４】
表示部７は、アイコン、キーボタンの表示や、データの送受信に必要なメッセージ内容、操作部８の操作により入力された電話番号やＦＡＸ番号等を表示する。又、原稿読み取り時、プリント完了時の原稿置き忘れの注意を促す警告表示も行う。この表示部７としては、ＣＲＴディスプレイやＬＣＤ（液晶表示装置）が用いられる。操作部８は、テンキーと、ワンタッチキーと、登録キーと、スタートキーと、動作モード切替キーとを有する。テンキーは、電話番号やＦＡＸ番号を入力するためのものである。ワンタッチキーは、相手先の電話番号やＦＡＸ番号をワンタッチで呼び出すためのものである。登録キーは、相手先の電話番号やＦＡＸ番号を短縮登録するためのものである。スタートキーは、ファクシミリ通信やコピー動作の開始を指示するためのものである。動作モード切替キーは、ＦＡＸモード・コピーモード・スキャナモード等の複数の動作モードについてのモード切り替えを行うためのものである。
【００１５】
画像読み取り部９は、ファクシミリ送信するとき又はコピーするときに、原稿の画像データを光学的に走査して読み取る。この画像読み取り部９は、カラー画像の読み取りも可能である。カラー読み取りの場合、画像読み取り部９は、原稿画像を光学的に走査し、ＲＧＢ３色の色分解信号を得る。画像記録部１０は、電子写真方式のプリンタよりなり、受信画像データやコピー動作において画像読み取り部９で読み取った原稿の画像データを記録紙上に記録する。この画像記録部１０は、ＣＭＹＫ４色の記録剤（トナー）を使用するものであり、Ｋ（黒成分）のみの記録剤を用いたモノクロプリントに加えて、ＣＭＹＫ４色全ての記録剤を用いたカラープリントも可能である。
【００１６】
ＣＯＤＥＣ１１は、読み取った画像データを送信又は記憶するためにＭＨ、ＭＲ、ＭＭＲ方式等により符号化（エンコード）する。また、ＣＯＤＥＣ１１は、圧縮符号化された状態で受信した画像データを、画像記録部１０により記録するために復号（デコード）する。更に、ＣＯＤＥＣ１１は、画像読み取り部９でカラー読み取りして得たカラー画像データをＪＰＥＧ方式により符号化し、ＪＰＥＧ方式により符号化された状態で受信したカラー画像データを、画像記録部１０により記録するために復号する。
【００１７】
ＬＡＮ  Ｉ／Ｆ１２は、ＬＡＮ（ローカルエリアネットワーク）を介して外部機器とのデータ授受を行うためのものであり、ＬＡＮ  Ｉ／Ｆ１２を介してＰＣ（パーソナルコンピュータ）等の外部機器が接続される。例えば、ＬＡＮ  Ｉ／Ｆ１２を介して、外部機器からコピーすべき画像データを受信することができる。音声出力部１６は、原稿読み取り完了時、プリント完了時の原稿置き忘れの注意を促す警告（報知）を音声で出力する。また、必要により、その他の指示・音声情報を出力する。
【００１８】
次に、この実施形態複合機（画像形成装置）のコピー時の処理動作を図３に示すフロー図を参照して説明する。まず、ステップＳＴ１において、操作部８のコピースタートキーがユーザによって押下される。次に、ステップＳＴ２へ移行する。ステップＳＴ２においては、コピー部数が１枚か否かを判定する。複数部のコピーの場合、操作部８において、予めコピー部数を設定している。コピー部数が１枚の場合は、ステップＳＴ４へ移行する。一方、コピー部数が複数枚、つまり２枚以上の場合は、ステップＳＴ３へ移行する。
【００１９】
ステップＳＴ３においては、複数部数のコピーなので、読み取り完了後に警告音を鳴らす、に設定する。すなわち、警告音テーブル５ａに「読み取り完了後」に設定「１」を記憶する。次に、ステップＳＴ５へ移行する。
【００２０】
ステップＳＴ４においては、部数１のコピーなので、プリント完了後に警告音を鳴らす、に設定する。つまり、警告音テーブル５ａに「プリント完了後」に設定「１」を記憶する。続いて、ステップＳＴ５へ移行する。
【００２１】
ステップＳＴ５においては、画像読み取り部９でコピー読み取り、つまり原稿をスキャンする。次に、ステップＳＴ６へ移行する。ステップＳＴ６においては、警告音テーブルを参照して“読み取り完了後に鳴らす”が設定されているか否かを判定する。判定ＹＥＳの場合は、つまり“読み取り完了後に鳴らす”に設定されている場合は、ステップＳＴ８へ移行する。
【００２２】
ステップＳＴ７においては、ステップＳＴ６において、読み取り完了後に鳴らす設定と判定された後なので、音声出力部１６で原稿置き忘れの警告音を出力し、表示部７に併せて、その旨を表示する。読み取り完了後における警告音の出力なので、ユーザはまだ機器本体近くにいる場合が多く、原稿置き忘れを確実にユーザに伝えることができる。なお、ここでＦＢＳの蓋が開かれている場合は、ステップＳＴ７の処理を実行しない。続いて、ステップＳＴ８へ移行する。
【００２３】
ステップＳＴ８においては、指定部数のコピープリントを実行する。次に、ステップＳＴ９へ移行する。ステップＳＴ９においては、警告音テーブル５ａを参照して“プリント完了後に鳴らす”が設定されているか否かを判定する。判定ＹＥＳの場合、つまり“プリント完了後に鳴らす”が設定されている場合は、ステップＳＴ１０へ移行する。一方、ステップＳＴ９において、判定ＮＯの場合、つまり“プリント完了後に鳴らす”が設定されていない場合は、処理を終了する。ステップＳＴ１０においては、音声出力部１６で原稿置き忘れの警告音を出力し、表示部７に併せて、その旨を表示する。１枚のプリント完了後の警告音出力なので、ユーザはまだ機器本体近くにいる場合であり、原稿置き忘れを確実にユーザに伝えることができる。なお、ここでもＦＢＳの蓋が開かれている場合は、ステップＳＴ１０の処理は実行しない。
【図面の簡単な説明】
【００２４】
【図１】この発明の一実施形態であるカラー画像通信装置の構成を示すブロック図である。
【図２】同カラー画像通信装置の警告音テーブルの記憶内容を示す図である。
【図３】同カラー画像通信装置のコピー処理動作を説明するフロー図である。
【符号の説明】
【００２５】
１      主制御部（ＣＰＵ）
２      ＮＣＵ
３      ＭＯＤＥＭ
４      ＲＯＭ
５      ＲＡＭ
５ａ    警告音テーブル
６      画像メモリ
７      表示部
８      操作部
９      画像読み取り部
１０    画像記録部
１１    ＣＯＤＥＣ
１２    ＬＡＮ  Ｉ／Ｆ
１３    バス
１４    電話回線網
１５    ＬＡＮ
１６    音声出力部
【図１】
2005099223.tif 000003
【図２】
2005099223.tif 000004
【図３】
2005099223.tif 000005